(57)【要約】      （修正有）【課題】紙葉類処理装置のドアが閉状態のときは集積装置カバーを開錠し、電磁ロックの通電時間を短くし、消費電力を抑え、かつ、集積装置へのアクセス許可を表示する紙葉類処理装置及び集積装置の電磁ロック方法を提供する。【解決手段】集積部を開錠する状況が発生し、ドア開が検知されると（Ｓ２のＹ）、電磁ロックを開錠状態に保持し（Ｓ３）、カバー開閉許可表示ランプを点灯する（Ｓ４）。操作員による操作終了後、ドア検知装置によって、ドア閉が検知されると（Ｓ５のＹ）、集積装置の電磁ロックをオフし、ランプを消灯する（Ｓ７）。この結果、ソレノイドへの通電を行わない状態で開錠状態が保持される。また、集積部を施錠する状況が発生している場合に（Ｓ８のＹ）、ドア開が検知されると（Ｓ９のＹ）、電磁ロックをオンし（Ｓ１０）、ランプを消灯し（Ｓ１１）、操作終了後、ドア閉が検知されると電磁ロックをオフし、ランプを消灯する。【選択図】図６
2008117156.tif 000002
【特許請求の範囲】
【請求項１】
紙葉類を処理する複数の処理手段を複数のユニットに区分して本体に収納した紙葉類処理装置であって、
前記ユニットは、
当該ユニット内に配置された前記処理手段をアクセスする際に開閉するドアと、
このドアの開閉を検知するドア開閉検知手段と、を備え、
前記複数処理手段は、
操作員が入力する入力手段及び操作員に通知するための表示手段を備えた操作表示手段と、
前記紙葉類を搬送する搬送手段と、
この搬送手段によって搬送された前記紙葉類を判別する紙葉類判別手段と、
この紙葉類判別手段の判別結果に基づいて前記紙葉類を集積する集積庫及びこの集積庫内にアクセス可能な集積庫カバーを有する集積手段と、
この集積手段に集積された前記紙葉類を施封する施封手段と、
前記集積庫カバーを施錠又は開錠する電磁ロック手段と、
前記集積庫カバーの開閉の許可を表示するカバー開閉許可表示手段と、
前記集積手段を開錠又は施錠する状況が発生したとき、前記ドア開閉検知手段による検知結果に基づいて前記集積庫カバーを施錠又は開錠する電磁ロック手段を制御する制御手段と、
を備えたことを特徴とする紙葉類処理装置。
【請求項２】
前記処理手段はさらに、
前記施封手段を手動で起動する手動結束開始スイッチを備え
前記制御手段は、前記手動結束開始スイッチが押下されたとき、前記集積庫の集積庫カバーを施錠し、当該集積庫に集積された前記紙葉類を前記施封装置によって施封後、前記集積庫カバーを開錠することを特徴とする請求項１記載の紙葉類処理装置。
【請求項３】
紙葉類を処理する複数の処理手段を複数のユニットに区分して本体に収納した紙葉類処理装置であって、当該ユニット内に配置された前記処理手段をアクセスする際に開閉するドアと、このドアの開閉を検知するドア開閉検知手段と、操作員が入力する入力手段及び操作員に通知するための表示手段を備えた操作表示手段と、前記紙葉類を搬送する搬送手段と、この搬送手段によって搬送された前記紙葉類を判別する紙葉類判別手段と、この紙葉類判別手段の判別結果に基づいて前記紙葉類を集積する集積庫及びこの集積庫内にアクセス可能な集積庫カバーを有する集積手段と、この集積手段に集積された前記紙葉類を施封する施封手段と、前記集積庫カバーを施錠又は開錠する電磁ロック手段と、前記集積庫カバーの開閉の許可を表示するカバー開閉許可表示手段と、前記集積手段を開錠又は施錠する状況が発生したとき、前記ドア開閉検知手段による検知結果に基づいて前記集積庫カバーを施錠又は開錠する電磁ロック手段を制御する制御手段と、を備えた紙葉類処理装置であって、
前記ドアを閉状態にし、かつ、前記電磁ロックをオフにして前記集積庫カバーを開状態にした紙葉類の処理中に前記集積庫カバーを開錠する状況が発生したとき、前記ドア開閉検知手段によってドア開を検知する第１工程と、
この第１工程によって前記ドア開が検知されたとき、前記集積庫カバーを開錠保持するために電磁ロックをオフする第２工程と、
前記集積庫カバー開閉許可表示手段を表示する第３工程と、
この第３工程による表示結果に基づいて操作員による処理が終了した後、前記ドア開閉検知手段によってドア閉を検知する第４工程と、
この第４工程によってドア閉が検知されたとき電磁ロックをオフする第５工程と、
前記集積庫カバー開閉許可表示手段を消灯する第６工程と、
を備えたことを特徴とする集積装置の電磁ロック方式。
【請求項４】
前記電磁ロック方式はさらに、
前記ドアを閉状態にし、かつ、前記電磁ロックをオフにし、前記集積庫カバーを開錠状態にした紙葉類の処理中に、前記集積庫カバーを施錠する状況が発生したとき、前記ドア開閉検知手段によってドア開を検知する第７工程と、
この第７工程によって前記ドア開が検知されたとき、前記集積庫カバーを施錠するために電磁ロックをオンする第８工程と、
前記集積庫カバー開閉許可表示手段により表示する第９工程と、
この第９工程による表示結果に基づいて操作員による処理が終了した後、前記ドア開閉検知手段によってドア閉を検知する第１０工程と、
この第１０工程によってドア閉が検知されたとき、電磁ロックをオフする第１１工程と、
前記集積庫カバー開閉許可表示手段を消灯する第１２工程と、
を備えたことを特徴とする請求項３記載の集積装置の電磁ロック方式。
【請求項５】
紙葉類を処理する複数の処理手段を複数のユニットに区分して本体に収納した紙葉類処理装置であって、当該ユニット内に配置された前記処理手段をアクセスする際に開閉するドアと、このドアの開閉を検知するドア開閉検知手段と、操作員が入力する入力手段及び操作員に通知するための表示手段を備えた操作表示手段と、前記紙葉類を搬送する搬送手段と、この搬送手段によって搬送された前記紙葉類を判別する紙葉類判別手段と、この紙葉類判別手段の判別結果に基づいて前記紙葉類を集積する集積庫及びこの集積庫内にアクセス可能な集積庫カバーを有する集積手段と、この集積手段に集積された前記紙葉類を施封する施封手段と、前記集積庫カバーを施錠又は開錠する電磁ロック手段と、前記集積庫カバーの開閉の許可を表示するカバー開閉許可表示手段と、前記集積手段を開錠又は施錠する状況が発生したとき、前記ドア開閉検知手段による検知結果に基づいて前記集積庫カバーを施錠又は開錠する電磁ロック手段を制御する制御手段と、を備えた紙葉類処理装置であって、
前記ドアを閉状態にし、かつ、前記電磁ロックをオフにして前記集積庫カバーを開状態にした紙葉類の処理中に前記集積庫カバーを施錠する状況が発生したとき、前記ドア開閉検知手段によってドア開を検知する第１工程と、
この第１工程によって前記ドア開が検知されたとき、該当集積装置にアクセス可能な前記ドアのドア開が検知されたかを確認する第２工程と、
この第２工程の結果、当該集積装置にアクセス可能なドアのドア開が検知されたとき、前記集積庫カバーを施錠するために前記電磁ロックをオンする第３工程と、
この第３工程により操作員による処理が終了した後、前記ドア開閉検知手段によってドア閉を検知する第４工程と、
この第４工程によってドア閉が検知されたとき、電磁ロックをオフする第５工程と、
を備えたことを特徴とする集積装置の電磁ロック方式。
【請求項６】
紙葉類を処理する複数の処理手段を複数のユニットに区分して本体に収納した紙葉類処理装置であって、当該ユニット内に配置された前記処理手段をアクセスする際に開閉するドアと、このドアの開閉を検知するドア開閉検知手段と、操作員が入力する入力手段及び操作員に通知するための表示手段を備えた操作表示手段と、前記紙葉類を搬送する搬送手段と、この搬送手段によって搬送された前記紙葉類を判別する紙葉類判別手段と、この紙葉類判別手段の判別結果に基づいて前記紙葉類を集積する集積庫及びこの集積庫内にアクセス可能な集積庫カバーを有する集積手段と、この集積手段に集積された前記紙葉類を施封する施封手段と、前記集積庫カバーを施錠又は開錠する電磁ロック手段と、前記集積庫カバーの開閉の許可を表示するカバー開閉許可表示手段と、前記集積手段を開錠又は施錠する状況が発生したとき、前記ドア開閉検知手段による検知結果に基づいて前記集積庫カバーを施錠又は開錠する電磁ロック手段を制御する制御手段と、を備えた紙葉類処理装置であって、
前記ドアを閉状態にし、かつ、前記電磁ロックをオフにして前記集積庫カバーを開状態にした紙葉類の処理中に前記集積庫カバーを開錠する状況が発生したとき、前記ドア開閉検知手段によってドア開を検知する第１工程と、
この第１工程によって前記ドア開が検知されたとき、前記集積庫カバーを開錠保持するために電磁ロックをオフする第２工程と、
前記集積庫カバー開閉許可表示手段により表示する第３工程と、
この第３工程による表示結果に基づいて操作員が当該集積庫カバーの開及び集積庫カバーの閉を行ったかを検知する第４工程と、
この第４工程によって当該集積庫の開閉が検知されたのち、ドア閉を検知する第５工程と、この第５工程の後、電磁ロックをオフする第６工程と、
前記集積庫カバー開閉許可表示手段を消灯する第７工程と、
を備えたことを特徴とする集積装置の電磁ロック方式。
【請求項７】
紙葉類を処理する複数の処理手段を複数のユニットに区分して本体に収納した紙葉類処理装置であって、当該ユニット内に配置された前記処理手段をアクセスする際に開閉するドアと、このドアの開閉を検知するドア開閉検知手段と、操作員が入力する入力手段及び操作員に通知するための表示手段を備えた操作表示手段と、前記紙葉類を搬送する搬送手段と、この搬送手段によって搬送された前記紙葉類を判別する紙葉類判別手段と、この紙葉類判別手段の判別結果に基づいて前記紙葉類を集積する集積庫及びこの集積庫内にアクセス可能な集積庫カバーを有する集積手段と、この集積手段に集積された前記紙葉類を施封する施封手段と、前記集積庫カバーを施錠又は開錠する電磁ロック手段と、前記集積庫カバーの開閉の許可を表示するカバー開閉許可表示手段と、前記集積手段を開錠又は施錠する状況が発生したとき、前記ドア開閉検知手段による検知結果に基づいて前記集積庫カバーを施錠又は開錠する電磁ロック手段を制御する制御手段と、を備えた紙葉類処理装置であって、
前記ドアを閉状態にし、かつ、前記電磁ロックをオフにして前記集積庫カバーを開状態にした紙葉類の処理中に前記集積庫カバーを施錠する状況が発生したとき、前記ドア開閉検知手段によってドア開を検知する第１工程と、
この第１工程によって前記ドア開が検知されたとき、前記集積庫カバーを施錠するために電磁ロックをオンする第２工程と、
この第２工程の後、前記ドア閉が検知される前に集積庫カバーの開が検知されたとき前記集積庫カバーの開閉を検知する第３工程と、
この第３工程の後、前記操作表示手段に誤操作の警報表示を行う第４工程と、
を備えたことを特徴とする請求項４又は請求項５記載の電磁ロック方式。
【発明の詳細な説明】
【技術分野】
【０００１】
本発明は、有価証券などの紙葉類を処理する紙葉類処理装置に関し、特に当該装置に搭載される集積装置の電磁ロック方式に関する。
【背景技術】
【０００２】
有価証券などの紙葉類を処理する紙葉類処理装置は、処理単位に応じて一括して投入された紙葉類束から取出装置によって紙葉類を１枚ずつ取出して搬送し、紙葉類検査装置によって当該紙葉類の品質（形状、損傷、印刷のかすれ及び汚れなど）を検査し、正常な券（以下、正券と称する。）、不良券（以下、損券と称する。）及び搬送異状券や２枚取り券などの排除券に区分して集積装置によって一時集積し、この一時集積された枚数が所定の枚数に達した場合には、紙帯で施封する装置である。例えば、正券は、１００枚ごとに結束帯としての紙帯で施封されて把が形成され、必要に応じて１０把を積み重ねてさらに紙帯で施封して束が形成される。
【０００３】
この紙葉類処理装置においては、上記集積装置には、計数の終了した紙葉類が集積されるため、セキュリティ確保の観点から集積装置を電磁ロックによって施錠（オン）している。従来、この電磁ロックによる施錠は、紙葉類処理装置のドアの状態に係わらず行っていた（例えば、特許文献１参照。）。
【特許文献１】実公昭６２−３９４８１号公報  （第２頁、図４）
【発明の開示】
【発明が解決しようとする課題】
【０００４】
しかしながら、特許文献１記載の紙葉類処理装置では、紙葉類処理装置のドアの状態に係わらず行っているため、（１）電磁ロック中の通電時間が長くなり電磁ロックの寿命が短くなる。（２）装置の消費電力が大きい。（３）集積装置が電磁ロック中であることがわからないため、操作者が集積部の処理をすべきである場合に、処理を行わずに初期化処理などの誤操作の可能性があった。（４）また、この誤操作の結果、装置の処理が次処理に進んでしまい紙葉類処理装置が正常に稼動できない場合があり、新たな機器停止などの障害が誘発されるという課題があった。
【０００５】
本発明は、上述した課題を解決するためになされたもので、紙葉類処理装置のドアの状態を検知することによって電磁ロックの通電時間が短くなるように制御し、もって、電磁ロックの寿命を長くし、紙葉類処理装置の消費電力を抑え、かつ、集積装置が電磁ロック中であることがわかるようにしすることにすることによって誤操作を防止できる紙葉類処理装置及び当該装置に搭載される集積装置の電磁ロック方法を提供する。
【課題を解決するための手段】
【０００６】
上記目的を達成するために、本発明の請求項１記載の紙葉類処理装置は、紙葉類を処理する複数の処理手段を複数のユニットに区分して本体に収納した紙葉類処理装置であって、前記ユニットは、当該ユニット内に配置された前記処理手段をアクセスする際に開閉するドアと、このドアの開閉を検知するドア開閉検知手段と、を備え、前記複数の処理手段は、操作員が入力する入力手段及び操作員に通知するための表示手段を備えた操作表示手段と、前記紙葉類を搬送する搬送手段と、この搬送手段によって搬送された前記紙葉類を判別する紙葉類判別手段と、この紙葉類判別手段の判別結果に基づいて前記紙葉類を集積する集積庫及びこの集積庫内にアクセス可能な集積庫カバーを有する集積手段と、この集積手段に集積された前記紙葉類を施封する施封手段と、前記集積庫カバーを施錠又は開錠する電磁ロック手段と、前記集積庫カバーの開閉の許可を表示するカバー開閉許可表示手段と、前記集積手段を開錠又は施錠する状況が発生したとき、前記ドア開閉検知手段による検知結果に基づいて前記集積庫カバーを施錠又は開錠する電磁ロック手段を制御する制御手段と、を備えたことを特徴とする。
【０００７】
また、本発明の請求項３記載の集積装置の電磁ロック方式は、紙葉類を処理する複数の処理手段を複数のユニットに区分して本体に収納した紙葉類処理装置であって、当該ユニット内に配置された前記処理手段をアクセスする際に開閉するドアと、このドアの開閉を検知するドア開閉検知手段と、操作員が入力する入力手段及び操作員に通知するための表示手段を備えた操作表示手段と、前記紙葉類を搬送する搬送手段と、この搬送手段によって搬送された前記紙葉類を判別する紙葉類判別手段と、この紙葉類判別手段の判別結果に基づいて前記紙葉類を集積する集積庫及びこの集積庫内にアクセス可能な集積庫カバーを有する集積手段と、この集積手段に集積された前記紙葉類を施封する施封手段と、前記集積庫カバーを施錠又は開錠する電磁ロック手段と、前記集積庫カバーの開閉の許可を表示するカバー開閉許可表示手段と、前記集積手段を開錠又は施錠する状況が発生したとき、前記ドア開閉検知手段による検知結果に基づいて前記集積庫カバーを施錠又は開錠する電磁ロック手段を制御する制御手段と、を備えた紙葉類処理装置であって、前記ドアを閉状態にし、かつ、前記電磁ロックをオフにして前記集積庫カバーを開状態にした紙葉類の処理中に前記集積庫カバーを開錠する状況が発生したとき、前記ドア開閉検知手段によってドア開を検知する第１工程と、この第１工程によって前記ドア開が検知されたとき、前記集積庫カバーを開錠保持するために電磁ロックをオフする第２工程と、前記集積庫カバー開閉許可表示手段を表示する第３工程と、この第３工程による表示結果に基づいて操作員による処理が終了した後、前記ドア開閉検知手段によってドア閉を検知する第４工程と、この第４工程によってドア閉が検知されたとき電磁ロックをオフする第５工程と、前記集積庫カバー開閉許可表示手段を消灯する第６工程と、を備えたことを特徴とする。
【０００８】
さらに本発明の請求項６記載の集積装置の電磁ロック方式は、紙葉類を処理する複数の処理手段を複数のユニットに区分して本体に収納した紙葉類処理装置であって、当該ユニット内に配置された前記処理手段をアクセスする際に開閉するドアと、このドアの開閉を検知するドア開閉検知手段と、操作員が入力する入力手段及び操作員に通知するための表示手段を備えた操作表示手段と、前記紙葉類を搬送する搬送手段と、この搬送手段によって搬送された前記紙葉類を判別する紙葉類判別手段と、この紙葉類判別手段の判別結果に基づいて前記紙葉類を集積する集積庫及びこの集積庫内にアクセス可能な集積庫カバーを有する集積手段と、この集積手段に集積された前記紙葉類を施封する施封手段と、前記集積庫カバーを施錠又は開錠する電磁ロック手段と、前記集積庫カバーの開閉の許可を表示するカバー開閉許可表示手段と、前記集積手段を開錠又は施錠する状況が発生したとき、前記ドア開閉検知手段による検知結果に基づいて前記集積庫カバーを施錠又は開錠する電磁ロック手段を制御する制御手段と、を備えた紙葉類処理装置であって、前記ドアを閉状態にし、かつ、前記電磁ロックをオフにして前記集積庫カバーを開状態にした紙葉類の処理中に前記集積庫カバーを開錠する状況が発生したとき、前記ドア開閉検知手段によってドア開を検知する第１工程と、この第１工程によって前記ドア開が検知されたとき、前記集積庫カバーを開錠保持するために電磁ロックをオフする第２工程と、前記集積庫カバー開閉許可表示手段により表示する第３工程と、この第３工程による表示結果に基づいて操作員が当該集積庫カバーの開及び集積庫カバーの閉を行ったかを検知する第４工程と、この第４工程によって当該集積庫の開閉が検知されたのち、ドア閉を検知する第５工程と、この第５工程の後、電磁ロックをオフする第６工程と、前記集積庫カバー開閉許可表示手段を消灯する第７工程と、を備えたことを特徴とする。
【発明の効果】
【０００９】
本発明によれば、紙葉類処理装置のドアの状態を検知することによって電磁ロックの通電時間を短くすることができることにより、電磁ロックの寿命を長くし、紙葉類処理装置の消費電力を抑え、かつ、集積装置が電磁ロック中であることがわかるため、誤操作を防止することができる。
【発明を実施するための最良の形態】
【００１０】
以下、図面を参照して本発明の実施例を説明する。
【実施例１】
【００１１】
図１は、本発明の実施例１による電磁ロック方式を用いた紙葉類処理装置１００の外観図である。図２は、図１に示す紙葉類処理装置１００の主要部分を示す構成図である。図３は、図１に示す紙葉類処理装置１００のドアの開閉を検知する開閉センサを示す図である。
【００１２】
図１に示す紙葉類処理装置１００は、搬送方向の上流から下流に向かって第１ユニット１０２、第２ユニット１０３、第３ユニット１０４、第４ユニット１０５、及びオプションユニットとしての第６ユニット１０６で構成される。
【００１３】
第１ユニット１０２には、紙葉類Ｐを取出装置４に供給する前処理部分で、操作員が入力するキーボード、マウス又はタッチパネルなどの入力手段及び操作員に通知するためのＣＲＴ又は液晶でスプレーなどの表示手段を備えた操作表示手段３３、取出装置４、搬送検知装置５ａ及び排除券集積装置７５・７６が備えられており、これらの装置にアクセスできるようにドア１０２ａ及び１０２ｂが設けられている。
【００１４】
第２ユニット１０３には、紙葉類検査装置６、集積装置（集積手段）７３・７４及び１００枚施封装置（施封手段）８３・８４が備えられており、これらの装置にアクセスできるようにドア１０３ａ及び１０３ｂが設けられている。
【００１５】
第３ユニット１０４には、紙葉類の厚さ、切れなどの紙葉類検知装置、集積装置７１・７２及び１００枚施封装置８１・８２が備えられており、これらの装置にアクセスできるようにドア１０４ａ及び１０４ｂが設けられている。
【００１６】
第４ユニット１０５には、束移動装置９、印字読取装置１０、１０００枚施封装置１１が備えられており、これらの装置にアクセスできるようにドア１０５ａが設けられている。
【００１７】
第５ユニット１０６には、ラベル発行・貼付装置１２が備えられており、このユニットにアクセスできるようにドア１０５ａがいる。なお、この第５ユニットはオプションユニットである。
【００１８】
以下、上記ユニットを構成する装置の構成又は機能の概略を説明する。  
取出装置４は、紙葉類束を一括して供給する供給部４ａ、及びこの供給部４ａに供給された紙葉類Ｐを一定間隔で１枚ずつ取出す取出部４ｂが備えられている。
【００１９】
供給部４ａには、紙葉類束を載置する供給台としてのバックアッププレート４ａ１、このバックアッププレート４ａ１に載置された紙葉類束の最上面の紙葉類Ｐの取出位置を検知する取出位置検知装置（図示しない）が備えられている。この取出位置検知装置の検知結果に基づいて紙葉類の最上面の紙葉類が取出位置になるようにバックアッププレート４ａ１を上下方向に駆動する駆動装置（図示しない）が備えられている。
【００２０】
取出部４ｂは、取出ロータ（図示しない）及びその駆動装置（図示しない）で構成される。この取出ロータは、内部が負圧になるように構成されており、取出ロータが１回転するごとに積層紙葉類の最上位にある紙葉類Ｐが１枚吸引される。この取出ロータの回転に伴って１枚取出されるため、一定の間隔で連続的に紙葉類Ｐが搬送路５に送出される。
【００２１】
搬送路５は、搬送ベルト、搬送ローラ及び駆動モータ（図示しない）で構成される。また、この搬送路５によって搬送された紙葉類Ｐの搬送先を決める分岐ゲートは搬送制御部２０によって制御される。
【００２２】
上記取出装置４によって取り出された紙葉類Ｐは、取出装置４の搬送方向下流に配置されたセンサ（搬送状態検知手段５ａによって紙葉類の搬送状態が検知され判別される。この判別の結果、搬送位置ずれ、スキュー又は２枚取りなどが検知された紙葉類Ｐは、紙葉類の検査ができないため、排除券集積装置７６に集積される。
【００２３】
紙葉類検査装置（紙葉類判別手段）６は、搬送される紙葉類Ｐの下面を検査する紙葉類検査装置６ａ及び上面を検査する紙葉類検査装置６ｂを備えている。この紙葉類検査装置６ａ及び６ｂは、同様に構成されており、それぞれ搬送される紙葉類Ｐを検知するセンサ、紙葉類Ｐを照明する光源、紙葉類Ｐによる反射光を撮像するカメラ、及びこのカメラから得られた画像を読み取る。
【００２４】
この紙葉類検査装置６ａ及び６ｂは、搬送される紙葉類Ｐの品質（形状、損傷、印刷のかすれ及び汚れなど）を検査し、正券、損券及び搬送異常券や２枚取り券などの排除券に判別する。この判別結果に基づいて上記分岐ゲートが制御され、紙葉類Ｐが区分搬送さる。
【００２５】
集積装置７には、正券を集積する集積装置７１、７２及び損券を集積する集積装置７３、７４が備えられている。これら集積装置７は、羽根車集積装置を有しており、高速に搬送される紙葉類Ｐの搬送速度を吸収しながら紙葉Ｐを停止させ、集積庫（図示しない）に集積させる。
【００２６】
正券は、紙葉類検査装置６による判別結果に基づいて搬送・区分装置によって制御され、集積装置７１、７２に集積される。この正券集積装置の集積方法は別途詳細に述べる。損券は正券同様に搬送・区分装置によって制御され、集積装置７３、７４に集積される。また、紙葉類検査装置６によって検知された異種券など判別不能券は、同様に搬送・区分装置によって制御され排除券集積装置７５に集積される。
【００２７】
なお、本実施例のように紙葉類集積装置１００が新券を処理する場合には、紙葉類Ｐの大部分が正券で占められるため、上述したように正券用集積装置には３個の集積装置７１〜７３が配置され、損券用集積装置には１個の損券用集積装置７４が配置される場合もある。
【００２８】
以下、正券が、集積装置７１、７２に集積され１００枚施封装置８１、８２で施封される様子を説明する。なお、損券が集積装置７３、７４に集積される場合も同様であるため、その説明を省略する。搬送区分装置１３は、集積装置７１に集積された紙葉類Pが１００枚に達すると、振り分けゲート（図示しない）を切り替え、紙葉類Ｐが続けて集積装置７１に搬送されるのを防止すると共に、続けて搬送される紙葉類Ｐを、正券集積装置７２に集積する。集積装置７１に集積された紙葉類は、下部に配置された１００枚施封装置８１に渡され、紙帯によって１００枚施封が行われ把Ｈが形成される。
【００２９】
正券集積装置７２に集積された紙葉類Ｐが１００枚に達すると、振り分けゲート（図示しない）を切り替え、紙葉類Ｐが続けて正券集積装置７２に搬送されるのを防止すると共に、続けて搬送される紙葉類Ｐを、集積装置７１に集積する。正券集積装置７２に集積された紙葉類Ｐは、下部に配置された１００枚施封装置８２に渡され、紙帯によって１００枚施封が行われ把Ｈが形成される。
【００３０】
１００枚施封装置８は、上記集積装置７１、７２及び集積装置７３、７４に対応して集積装置の下部に配置されており、対応する集積装置７１、７２の集積庫（図示しない）に上述した方法によって集積された紙葉類を紙帯で結束して把を形成する。
【００３１】
束移動装置９ａは、１００枚施封装置８１〜８３の下部に配置され、上記１００枚施封装置８で形成された把Ｈを次のステップに搬送するために、コンベアで構成され、把Ｈを積載した状態で搬送する。
【００３２】
束移動装置（リフタ）９ｂは、束移動装置９ａによって搬送されてきた把Ｈを１個ずつ受け取り上昇移動させる。
【００３３】
印字読取装置１０は、束移動装置９ｂによって搬送された把Ｈの最上面の発行番号を読取る。この読取結果は、搬送制御部２０に送信される。この印字読取装置１０で読み取られた発行番号が所定の値である場合は、１００枚施封装置８で施封された把Ｈが正常であると判断される。
【００３４】
印字読取装置１０による発行番号が所定の値である把Ｈは１０把集積され、１０００枚施封装置１１に渡される。１０００枚施封装置１１は、１０把集積された紙葉類を紙帯で結束して束Ｓを形成する。この１０００枚施封装置１１は、紙帯をセットする帯セット部、紙帯を送る帯フィーダ部、紙帯を施封に適した長さでカットして熱接着するための帯ヒータ部、紙帯を１０把集積された周囲に掛け回すワインダ部及び紙葉類を押圧するプレス部などを備えているが、従来技術で達成可能であるために、詳細な説明を省略する。
【００３５】
ラベル発行・貼付装置１２は、１０００枚施封装置１１で形成された束Ｓの上面に束Ｓの種類、枚数、発行場所などの紙葉類属性を印字したラベルを貼り付ける。
【００３６】
図３は、図２に示す紙葉類処理装置１００のドア１０４ａを検知するドア検知装置（ドア検知手段）を示す図である。例えば図２に示す集積装置７１、７２はドア１０４ａの内側に配置されている。ドア１０４ａには、ドアの開閉に伴ってドアと共に回動する被検出体１０４ｂが取付けられており、また、この被検出体１０４ｂを検知するドア検知装置１０４ｃが配置されている。ドア検知装置１０４ｃには被検出体１０４ｂの出入可能な被検出体出入口１０４ｄが配置されており、ドア１０４ａの開閉が検知される。
【００３７】
このように構成されたドア開閉検知部において、例えばドア１０４ａが閉じている状態では、被検出体１０４ｂがドア検知装置１０４ｄの被検出体出入口１０４ｄに挿入されて（以下、ドア閉状態と称する。）検知される。紙葉類処理装置のドア１０４ａは、通常この閉じられた状態で使用される。
【００３８】
図３は、例えば装置内部において障害などが発生し、障害を解除するためにドア１０４ａを開いた状態である（以下、ドア開状態と称する。）。この場合には、被検出体１０４ｂは、ドア検知装置１０４ｄの被検出体出入口１０４ｄから排出された状態になる。
【００３９】
図４は、集積装置７１の外観図である。集積装置７１には、羽根車７１ａ、集積庫（図示しない）、集積庫カバー７１ｂ、レバー位置検知センサ７１ｃｃ、レバー７１ｅなどが配置され、羽根車集積装置を構成している。この羽根車集積装置の羽根車７１ａは、回転軸の周囲に複数個配置され、搬送されてくる紙葉類Ｐの搬送に同期して回転しながら羽根と羽根の間で受取ることができる。このような構成によって、高速に搬送される紙葉類Ｐの搬送エネルギーを吸収しながら当該紙葉類Ｐの搬送を停止させ、かつ、回転することによって掻き出し板（図示しない）に掻き出されて羽根車７１ａから排出され集積庫に集積させる。
【００４０】
この動作は、集積装置７１、７２、集積装置７３、７４及び排除券集積装置７５で共通である。
【００４１】
本実施例の集積庫は、集積庫カバー７１ｂの内側の部分に相当し、羽根車７１ａから排出された紙葉類Ｐが集積される。
【００４２】
集積庫カバー７１ｂは、集積庫に集積された紙葉類Ｐが飛び出さないようにするカバーの機能を有すると共に、集積された紙葉類が外部からアクセスされ、容易に取出されることのないようにするセキュリティの機能を有している。従って、この集積庫カバー７１ｂは、開閉が許可されたとき意外には開閉できないように施錠される。施錠方法の解除については別途詳細に説明する。
【００４３】
レバー位置検知センサ７１ｃは、レバー７１ｅの位置を検知するセンサで、レバー７１ｅの上下移動に伴って移動する遮光板７１ｄを光学的に検知する。レバー７１ｅが下側にある図４の状態では、レバー位置検知センサ７１ｃは遮光板７１ｄが検知された状態になる。
【００４４】
また、集積装置７１へのアクセスを許可するための許可表示手段として集積庫カバー７１ｂの開閉を許可するカバー開閉許可表示ランプ（カバー開閉許可表示手段）７１ｍが備えられており、このカバー開閉許可表示ランプ７１ｍが点灯しているときには当該集積部のカバーを開閉した作業を行うことができる。
【００４５】
図５は、図４に示す集積庫カバー７１ｂの開閉を行う際の開錠及び施錠を説明する図である。集積庫カバー７１ｂの開閉を行うためには、レバー７１ｅを図示矢印７１ｆの方向に上昇（スライド）させる必要がある。本実施例では、集積庫のセキュリティのために許可されていないときに集積庫カバー７１ｂが開閉できないようにするため、上記レバー７１ｅを施錠している。以下、その方法を説明する。
【００４６】
上記レバー７１ｅが施錠状態（電磁ロックオン状態）の場合は、レバー７１ｅの左端面が上昇できないようにストッパ７１ｈをソレノイドなど電磁ロック手段によって吸引し位置７１ｉ１の状態にする。その結果、レバー７１ｅが上昇する進路方向が塞がれ上昇できなくなる（施錠状態になる。この施錠状態では、集積庫カバー７１ｂは開閉できない。
【００４７】
一方、ソレノイドの通電を行わないとストッパ７１ｈがバネ７１ｊによって引っ張られ位置７１ｊ２の状態になる。この場合は、レバー７１ｅは上昇可能になり、このレバー７１ｅが上昇することによってレバー位置検知センサ７１ｃは遮光板７１ｄによって遮光されないようになる。この結果、レバー開錠状態となり集積庫カバー７１ｄが開閉可能になる。
【００４８】
図６は、本発明の実施例による施錠方法の動作を説明するフローチャートである。以下、図４及び図５で説明した集積装置７１を用いて説明する。
【００４９】
例えば、紙葉類処理装置（以下、本体と称する。）１００に何らかの障害が発生し集積部（例えば、集積装置７１）を開く状況が発生した場合（Ｓ１のＹ）、本体１００のドア１０３ａ〜１０５ａの何れかが開けられた場合（Ｓ２のＹ）、集積部を開錠する状態が発生し（Ｓ１のＹ）、本体のドア１０３ａ〜１０５ａの何れかが開けられた場合（例えばドア１０４ａが開けられた場合）、には、ドア検知装置１０４ｃによってドア開が検知される（Ｓ２のＹ）。
【００５０】
このドア開が検知されると、集積装置７１に集積された紙葉類Ｐへのアクセス（取出しなど）を可能にするために電磁ロックは開錠状態を保持する（Ｓ３）。集積装置７１が開錠状態でありアクセス可能であることを操作員に通知するためにカバー開閉許可表示ランプ７１ｍを点灯する（Ｓ４）。
【００５１】
操作員がこのカバー開閉許可表示ランプ７１ｍの点灯を認識し、集積装置７１の集積庫カバー７１ｂを開け、集積された紙葉類を取去るなどの障害を取り除く操作を行う。この操作終了後、操作員は、集積庫カバー７１ｂを閉じ、レバー７１ｅを下げ、続けて本体のドア１０４ａを閉じる。
【００５２】
ドア検知装置（ドア開閉検知手段）によって、本体ドア１０４ａが閉じられたことが検知されると（Ｓ５のＹ）、集積装置７１の電磁ロックをオフし、カバー開閉許可表示ランプを消灯する（Ｓ７）。この結果、ソレノイドへの通電を行わない状態で開錠状態が保持される。
【００５３】
ステップＳ１において集積部を開錠する状況が発生していない場合（Ｓ１のＮ）、集積部を施錠する状況が発生しているか確認する（Ｓ８）。
【００５４】
この確認の結果、集積部を施錠する状況が発生している場合（Ｓ８のＹ）、ドア検知装置によって本体のドアが開けられたか確認する（Ｓ９）。この確認の結果、本体のドアが開けられた場合（Ｓ９のＹ）、電磁ロックをオンし（Ｓ１０）、カバー開閉許可表示ランプ７１ｍを消灯する（Ｓ１１）。
【００５５】
操作員は、所定の処理を終了すると、本体のドアを閉じる。ドア検知装置によって、この本体ドア１０４ａが閉じられたことが検知されると（Ｓ１２のＹ）、集積装置７１の電磁ロックをオフし（Ｓ１３）、カバー開閉許可表示ランプを消灯する（Ｓ１４）。この結果、ソレノイドへの通電を行わない状態で開錠状態が保持される。この処理の終了後、ステップ１に戻って紙葉類の処理が継続される。
【００５６】
ステップＳ９において、本体のドア１０４ａの被検出体１０４ｂがドア検知装置１０４ｄによって検知されている状態はドアが閉じている状態であり、この状態を、以下ドア開が検知されていない場合と称する（Ｓ９のＮ）。この場合、集積部を施錠する状況が解消したか確認する（Ｓ１５）。この確認の結果、集積部７１を施錠する状況が解消していない場合（Ｓ１５のＮ）、ステップＳ９に戻ってドア開が監視される。
【００５７】
ステップＳ１５において、集積部を施錠する状況が解消している場合（Ｓ１５のＹ）、ステップＳ１に戻って紙葉類の処理が継続される。
【００５８】
以上説明したように、本発明の実施例２によれば、集積庫カバー７１ｂのセキュリティを確保するために行っている電磁ロックのための通電を、本体１００のドアが開いている場合に限定することにより電磁ロックの通電時間を短くできるため、ソレノイドの寿命低下及び電力消費を低減することができる。この結果、発明が解決しようとする課題（１）に記載した「電磁ロック中の通電時間が長くなり電磁ロックの寿命が短くなる」という課題、及び課題（２）に記載した「装置の消費電力が大きい」という課題、さらに「集積装置が電磁ロック中であることがわからない」という課題を解決することができる。
【実施例２】
【００５９】
図７は、本発明の実施例２による施錠方法の動作を説明するフローチャートである。以下、図２〜図５も参照して説明する。
【００６０】
例えば第３ユニット１０４内で障害が発生し、ドア１０４ａ又は１０４ｂを開け、その障害を取除く作業が必要になった場合、この第４ユニット１０４に設けられた集積装置７１及び７２に集積された紙葉類の抜き去り又は障害除去作業に伴う紙葉類との混合を防ぐために集積部７１及び７２を施錠する必要がある場合（Ｓ２１のＹ）、監視されている本体ドア１０３ａ〜１０５ａの何れかのドアがそれぞれのドアを検知するために配置されたドア検知装置によって検知されたかどうか確認する（Ｓ２２）。
【００６１】
この確認の結果、本体ドアが検知された場合（Ｓ２２のＹ）、開かれたドアが集積装置７１及び７２にアクセス可能なドアか確認する（Ｓ２３）。
【００６２】
この確認の結果、開かれたドアが当該集積装置７１及び７２にアクセス可能なドアの場合（本実施例ではドア１０４ａ及び１０４ｂが該当する。Ｓ２３）、電磁ロックをオン（施錠）する（Ｓ２４）。
【００６３】
上記障害を取除く作業が終了し、ドア１０４ａ及び１０４ｂが閉じられ、この閉じられたドア１０４ａ及び１０４ｂがドア検知装置１０４ｄによって検知されると（Ｓ２５のＹ）、本体内部のセキュリティが確保されるので電磁ロックをオフにする（Ｓ２６）。
【００６４】
その後は、ステップＳ２１に戻って、本体１００の処理を継続する。
【００６５】
ステップＳ２２において、本体１００のドア開が検知されない場合（Ｓ２２のＮ）、ステップＳ２１で発生した集積部を施錠する状況が解消したか確認する（Ｓ２７）。この確認の結果、もし解消していない場合には、ステップＳ２２に戻って本体１００のドア開を監視する。また、この確認の結果、集積部を施錠する状況が解消している場合には、ステップＳ２１に戻って本体１００の処理を継続する。
【００６６】
以上説明したように、本発明の実施例によれば、該当集積部にアクセス可能なドアが開けられた場合に当該集積装置のみの電磁ロックのオン（施錠）及び、オフ（開錠）を行い、他のアクセス不可能な集積装置の電磁ロックはオフしたままとすることができるため、実施例１に比べてソレノイドに対する通電時間はさらに短くなりより効果が大きくなる。
【００６７】
ステップＳ１２において、本体１００のドアが開いた場合（Ｓ１２のＹ）、該当集積部にアクセス可能なドアであるかどうか確認する（Ｓ１３）。このステップＳ１３の確認の結果、該当集積部にアクセス可能なドアの場合、当該集積部の電磁ロックをオンして施錠する（Ｓ１４）。
【００６８】
本体１００のドアが開いている状態における処理を終了後、本体１００のドア閉を検知する（Ｓ１５）。この確認の結果、ドア閉の場合（Ｓ１５のＹ）、電磁ロックをオフ（開錠）にする。この開錠にする理由は実施例１で述べたのと同様、本体１００のドア閉の状態であるので、集積部のセキュリティが確保されるため、ソレノイドに対する通電を中止することによって、ソレノイドが高温になるのを防止できるだけでなく、不要な通電を行わないため、低電力化にすることができる。その後、ステップＡ１１に戻って、紙葉類Ｐの処理を継続する。
【００６９】
以上説明したように、本発明の実施例によれば、該当集積部にアクセス可能なドアが開けられた場合に当該集積装置のみの電磁ロックのオン（施錠）及び、オフ（開錠）を行い、他のアクセス不可能な集積装置の電磁ロックはオフしたままとすることができるため、ソレノイドに対する通電時間はさらに短くなりより効果が大きくなる。この結果、発明が解決しようとする課題（１）及び（２）に関して、実施例１に比べさらに大きな効果が得られる。
【実施例３】
【００７０】
図８は、本発明の実施例３による施錠方法の動作を説明するフローチャートである。以下、図２〜図５も参照して説明する。
【００７１】
本実施例は、図６に示す実施例１の集積部を開錠する状況が発生した場合の処理を示したステップＳ２〜Ｓ７と同じ処理の中に、集積部の集積部カバーの開動作（Ｓ３５）及び閉動作（Ｓ３６）を検知する処理が追加されている。
【００７２】
集積部を開錠する状況が発生した場合（Ｓ３１）、本体１００のドアが開けられ、ドア開が検知されると（Ｓ３２）、当該集積部の電磁ロックは開錠状態が保持され、カバー開閉許可表示ランプ７１ｍが点灯する（Ｓ３４）。
【００７３】
このカバー開閉許可表示ランプを確認した操作者が集積部７１の集積庫カバー７１ｂを開け、集積されている紙葉類を取り出し、集積庫カバーを閉める。この集積庫カバー７１ｂの開閉の際にレバー検知センサ７１ｃによって遮光板７１ｄのオン（遮光板あり）、オフ（遮光板なし）が検知される。この検知結果に基づいて、集積庫カバー７１ｂの開閉が行われたことが検知される。この集積庫カバー７１ｂの開閉が検知されたことによって、電磁ロックの開錠が保持され（Ｓ３８）、続けてカバー開閉許可表示ランプ７１ｍが消灯される（Ｓ３９）。
【００７４】
以上説明したように本発明の本実施例３によれば、上述した実施例１の効果に加えて、発明が解決しようとする課題（３）に記載した、「操作者が集積部の処理をすべきであるのに、処理を行わずに初期化処理などを行うと次処理に進んでしまい紙葉類処理装置が正常に稼動できない場合があり障害が誘発される」が解決できる。
【実施例４】
【００７５】
図９は、本発明の実施例４による施錠方法の動作を説明するフローチャートである。以下、図２〜図５及び図７も参照して説明する。
【００７６】
本発明は、集積部を施錠する状況が発生した場合に、集積部が操作員によって開閉された場合、操作表示部３３に誤操作を表示する場合の実施例である。
【００７７】
集積部を施錠する状況が発生した場合における実施例２に示すステップＳ２１、Ｓ２２及びＳ２７の処理は本実施例のステップＳ４１、Ｓ４２及びＳ４８と同様であり、ステップＳ４２において本体１００のドア開が検知されてからの処理が異なるのでその部分の処理を説明する。
【００７８】
本体１００のドア１０３ａ〜１０５ａの何れかにおいてドア開が検知された場合（Ｓ４２）、電磁ロックをオンして集積部を施錠する（Ｓ４３）。次に、本体１００のドア閉を検知する（Ｓ４４）。
【００７９】
この検知の結果、ドアが閉じられていない場合（Ｓ４４のＮｏ）、集積部のレバー位置検知センサ７１ｃによって遮光板７１を検知し、集積部の集積庫カバー７１ｂが開けられたか検知する（Ｓ４５）。
【００８０】
この検知の結果、検知されない場合（Ｓ２５のＮｏ）、ステップＳ２４に戻って本体１００のドア又は集積部の集積庫カバー７１ｂの開閉を監視する。
【００８１】
この監視の結果、集積部の集積庫カバー７１ｂが開けられたことを検知した場合は、操作表示部３３に警告表示する。すなわち、集積部を施錠する状況が発生したのであるから本来集積部がドア開が検知されるはずがないが、操作員が誤って開けてしまった場合にはドア開が検知される。その場合には操作表示部３３に誤操作に伴う警告表示が行われる。
【００８２】
この誤操作は本体１００によるドア閉が検知されるまで監視される（Ｓ４４〜Ｓ４６）。
【００８３】
この検知の結果、本体１００のドア閉が検知された場合（Ｓ４４のＹ）、電磁ロックをオフにする（Ｓ４７）。その後、ステップＳ４１に戻って、通常の処理を継続する。
【００８４】
以上説明したように、本発明の実施例４によれば、集積部を施錠する状況が発生した場合に本体１００のドアが開状態になり、さらに集積部の集積庫カバー７１ｂが開状態になった場合には、操作員による異状操作が行われた可能性があるので、この場合には操作表示部３３に警告表示を行い、操作員にたいする注意を喚起することができる。この結果、本体１００を管理する管理者（操作員）の利便性が改善される。
【実施例５】
【００８５】
図１０は、手動施封起動に関する動作を説明するフローチャートである。操作員が手動により１００枚施封を行う際の集積装置の施錠方法に関する動作フローである。以下、図２〜図５も参照して説明する。ここでも集積装置７１を用いて手動による１００枚施封を行う場合について説明するが、他の集積装置も同様である。
【００８６】
操作員が手動結束開始スイッチ７１ｈを押下すると、集積装置７１の集積カバー７１ｂが電磁ロックされる（Ｓ５１）。
【００８７】
次に、集積装置７１に集積された紙葉類Ｐが施封装置８１に引き渡され、紙帯によって結束（施封）される（Ｓ５２）。この施封処理は、サブルーチン表示されているが、従来技術によって行うことが可能であり、本発明の主旨ではないのでその説明を省略する。
【００８８】
次に、上記施封処理が終了すると、集積装置７１の集積カバー７１ｂの電磁ロックが解除され、処理が終了する（Ｓ５３）。
【００８９】
以上説明したように本発明の実施例５によれば、結束動作中に誤って集積カバー７１ｂを開けてしまうことがないため、発明が解決しようとする課題（４）に記載されている誤操作に伴う機器停止などの傷害を防止できる。
【図面の簡単な説明】
【００９０】
【図１】本発明の実施例１による電磁ロック方式を用いた紙葉類処理装置１００の外観図。
【図２】図１に示す紙葉類処理装置１００の主要部分を示す構成図。
【図３】図１に示す紙葉類処理装置１００のドアの開閉を検知するドア検知装置を示す図。
【図４】集積装置７１の外観図。
【図５】図４に示す集積庫カバーの開閉を４行う際の開錠及び施錠を説明する図。
【図６】本発明の実施例１による施錠方法の動作を説明するフローチャート。
【図７】本発明の実施例２による施錠方法の動作を説明するフローチャート。
【図８】本発明の実施例３による施錠方法の動作を説明するフローチャート。
【図９】本発明の実施例４による施錠方法の動作を説明するフローチャート。
【図１０】本発明の実施例５による手動施封起動に関する動作を説明するフローチャート。
【符号の説明】
【００９１】
１００  紙葉類処理装置
１０２  第１ユニット
１０３  第２ユニット
１０３ａ、１０３ｂ  ドア
１０４  第３ユニット
１０４ａ、１０４ｂ  ドア
１０５  第４ユニット
１０５ａ  ドア
１０６  第５ユニット
７１〜７６  集積装置
７１ａ  羽根車
７１ｂ  集積庫カバー
７１ｃ  レバー位置検知センサ
７１ｄ  遮光板
７１ｅ  レバー
７１ｈ  ストッパ
７１ｋ  手動結束開始スイッチ
７１ｍ  カバー開閉許可表示ランプ
８１〜８４  １００枚施封装置
【図１】
2008117156.tif 000003
【図２】
2008117156.tif 000004
【図３】
2008117156.tif 000005
【図４】
2008117156.tif 000006
【図５】
2008117156.tif 000007
【図６】
2008117156.tif 000008
【図７】
2008117156.tif 000009
【図８】
2008117156.tif 000010
【図９】
2008117156.tif 000011
【図１０】
2008117156.tif 000012